(57)【要約】【課題】組織が硬い場合であっても多量の組織を確実に採取することのできる生検針を提供する。【解決手段】組織Ａ内に刺入した後、内針２を後退させて外針１内に組織Ａの一部を取り込むようにしたので、外針１の内容積のほぼ１００％の組織を採取することができ、十分な採取量を得ることができる。その際、外針１内に組織Ａの一部を取り込んだ後、外針１の先端側に設けたワイヤ状部材３を外部から引張ることにより外針１内の径方向に緊張させるとともに、ワイヤ状部材３を外針１と共に周方向に回転させて外針１内の組織Ａをワイヤ状部材３で切断するようにしたので、組織Ａが硬い場合でも外針１内の組織Ａを他の組織から容易に切り離すことができ、外針１内に取り込んだ組織Ａを確実に採取することができる。【選択図】図５
2007054449.tif 000002
【特許請求の範囲】
【請求項１】
中空状に形成された外針と、外針内に挿入された内針とを備え、生体の組織内に刺入した後、内針を外針に対して後方へ移動することにより、外針内に組織の一部を取り込んで採取するようにした生検針において、
前記外針の先端側に外針の外部から引張ることにより外針の径方向に緊張可能に設けられ、外針を周方向に回転させることにより外針内の組織を切断可能なワイヤ状部材を備えた
ことを特徴とする生検針。
【請求項２】
前記内針の外周面に、弛ませたワイヤ状部材を収容可能な切り欠き部を設けた
ことを特徴とする請求項１記載の生検針。
【請求項３】
前記内針の先端と切り欠き部との間の部分を切り欠き部以外の他の部分よりも径方向に小さく形成した
ことを特徴とする請求項１または２記載の生検針。
【請求項４】
前記内針の先端に円錐状の先鋭部を設けた
ことを特徴とする請求項１、２または３記載の生検針。
【請求項５】
中空状に形成された外針と、外針内に挿入される内針とを備え、生体の組織内に刺入した後、内針を外針に対して後方へ移動することにより、外針内に組織の一部を取り込んで採取するようにした生検針において、
前記外針の先端側に外針の径方向に亘って張設され、外針を周方向に回転させることにより外針内の組織を切断可能なワイヤ状部材を備えた
ことを特徴とする生検針。
【請求項６】
前記外針の基端側が先端に固定されたシリンジと、
シリンジ内に摺動自在に設けられ、内針の基端側が先端に固定されたプランジャとを備えた
ことを特徴とする請求項１、２、３、４または５記載の生検針。
【発明の詳細な説明】
【技術分野】
【０００１】
本発明は、例えば肝臓や腎臓など、生体の組織の一部を採取するために用いられる生検針に関するものである。
【背景技術】
【０００２】
従来、この種の生検針としては、先端側の外周面に切り欠き部を有する内針と、内針が挿入される中空状の外針とを備え、内針の先端部を外針の先端から前方に突出させた状態で組織内に刺入した後、外針を前方に移動させながら内針に被せることにより、内針の切り欠き部に組織の一部を取り込んで採取するようにしたものが知られている（例えば、特許文献１参照。）。
【特許文献１】特開２００２−６０９号公報
【発明の開示】
【発明が解決しようとする課題】
【０００３】
ところで、従来の生検針で採取可能な組織の量は内針の切き欠き部の深さに依存するが、内針の強度を保つために切き欠き部の深さを大きくすることはできなかった。このため、外針の内容積の約６０％〜７５％しか組織を採取することができず、採取量が不十分であった。そこで、他の生検針として、内針の先端を外針の先端側に位置させた状態で組織内に刺入した後、内針を外針に対して後方へ移動させて外針内に組織の一部を取り込むことにより、外針の内容積のほぼ１００％の組織を採取可能にしたものもあるが、組織が硬い場合は体内側の組織と外針内の組織とを切り離すことができず、軟らかい組織に用途が限定されるという問題点があった。
【０００４】
本発明は前記問題点に鑑みてなされたものであり、その目的とするところは、組織が硬い場合であっても多量の組織を確実に採取することのできる生検針を提供することにある。
【課題を解決するための手段】
【０００５】
本発明は、前記問題点を解決するために、中空状に形成された外針と、外針内に挿入された内針とを備え、生体の組織内に刺入した後、内針を外針に対して後方へ移動することにより、外針内に組織の一部を取り込んで採取するようにした生検針において、前記外針の先端側に外針の外部から引張ることにより外針の径方向に緊張可能に設けられ、外針を周方向に回転させることにより外針内の組織を切断可能なワイヤ状部材を備えている。
【０００６】
これにより、組織内に刺入した後、内針を外針に対して後方へ移動することにより、外針内に組織の一部が取り込まれることから、外針の内容積のほぼ１００％の組織を採取することが可能となる。その際、外針内に組織の一部を取り込んだ後、ワイヤ状部材を外部から引張って外針の径方向に緊張させるとともに、ワイヤ状部材を外針と共に周方向に回転させることにより、外針内の組織がワイヤ状部材によって切断されることから、組織が硬い場合でも外針内の組織を他の組織から容易に切り離すことができる。
【発明の効果】
【０００７】
本発明によれば、外針の内容積のほぼ１００％の組織を採取することができるので、十分な採取量を得ることができるとともに、組織が硬い場合でも外針内の組織を他の組織から容易に切り離すことができるので、外針内に取り込んだ組織を確実に採取することができる。
【発明を実施するための最良の形態】
【０００８】
図１乃至図５は本発明の第１の実施形態を示すもので、図１は生検針の斜視図、図２はその側面断面図、図３はその要部分解斜視図、図４はその要部斜視図、図５は生検針による組織の採取工程を示す要部側面断面図である。
【０００９】
この生検針は、中空状に形成された外針１と、外針１内に挿入される内針２と、外針１内に取り込まれた組織を切断するためのワイヤ状部材３と、外針１が固定されたシリンジ４と、内針２が固定されたプランジャ５と、プランジャ５を所定位置でロックするロック部材６とを備えている。
【００１０】
外針１は両端を開口した管状の部材からなり、先端の周縁部で組織を切り裂くように形成されている。外針１の先端側の周面にはワイヤ状部材３を挿通する一対の孔１ａが設けられ、各孔１ａは互いに外針１の径方向に対向するように配置されている。
【００１１】
内針２は外針１の内径よりも小さい外径を有するように形成され、外針１内に摺動自在に挿入されている。また、内針２の先端側の外周面には、弛ませたワイヤ状部材３を収容可能な切り欠き部２ａが設けられている。
【００１２】
ワイヤ状部材３は紐や金属ワイヤ等の細い線材からなり、その両端側はそれぞれ外針１よりも長く形成されている。ワイヤ状部材３の中央側は外針１の各孔１ａを挿通するとともに、内針２の切り欠き部２ａ内に弛ませた状態で収容させており、その両端側を外部から引張ることにより、外針１内の径方向に亘って緊張するようになっている。
【００１３】
シリンジ４は一端を開口した円筒状に形成され、その他端には外針１の基端が固定されている。また、シリンジ４の他端側にはフランジ４ａが設けられている。
【００１４】
プランジャ５はシリンジ４内に摺動自在に設けられ、その外周面にはシリンジ４の内周面に接触する環状のシール部材５ａが取付けられている。プランジャ５は一端側に把持部５ｂを有し、その他端側には内針２の基端が固定されている。
【００１５】
ロック部材６はプランジャ５の軸方向に延びる板状のバネ材からなり、プランジャ５の外周面に取付けられている。ロック部材６の一端側はプランジャ５の他端側に固定されるとともに、ロック部材６の他端側はプランジャ５の外周面とシリンジ４の内周面との間にプランジャ５の径方向に弾性変形可能に配置されている。即ち、プランジャ５をシリンジ４の所定位置まで後退させると、ロック部材６の他端がシリンジ４の外部に移動して径方向外側に変形し、シリンジ４のフランジ４ａとの当接によりプランジャ５の前進方向への移動が規制されるようになっている。また、ロック部材６の他端側を径方向内側に押圧しながらプランジャ５の外周面とシリンジ４の内周面との間に進入させることにより、プランジャ５のロックが解除されるようになっている。
【００１６】
以上のように構成された生検針において、生体から組織を採取する場合は、まず、内針２の先端を外針１の先端側に位置させた状態で組織Ａ内に刺入した後、プランジャ５をロック部材６によってロックされるまで後退させることにより、図５(a) に示すように内針２を外針１に対して後方に移動させる。その際、内針２の切り欠き部２ａ内に弛ませておいたワイヤ状部材３が切り欠き部２ａから外針１内に延出する。また、内針２の後退によって外針１の内部が陰圧になるので、図５(b) に示すように組織Ａ内に更に刺入することにより、組織Ａの一部が外針１の周縁部によって切り裂かれながら陰圧によって外針１内に取り込まれる。ここで、図５(c) に示すようにワイヤ状部材３の両端側を外部から引張ることにより、ワイヤ状部材３の中央側が内針２の切り欠き部２ａから完全に出て外針１の先端側に移動し、外針１の各孔１ａを間にして外針１の径方向に緊張する。続いて、図５(d) に示すように外針１及び内針２をシリンジ４と共に周方向に３６０°以上回転させることにより、外針１内の組織Ａがワイヤ状部材３によって切断され、ワイヤ状部材３と内針２の先端との間に位置する組織Ａが他の組織から切り離される。この後、抜針してプランジャ５のロックを解除し、プランジャ５を前進させることにより、外針１内の組織Ａが外部に押し出される。
【００１７】
このように、本実施形態の生検針によれば、組織Ａ内に刺入した後、内針２を後退させて外針１内に組織Ａの一部を取り込むようにしたので、外針１の内容積のほぼ１００％の組織を採取することができ、十分な採取量を得ることができる。その際、外針１内に組織Ａの一部を取り込んだ後、外針１の先端側に設けたワイヤ状部材３を外部から引張ることにより外針１の径方向に緊張させるとともに、ワイヤ状部材３を外針１と共に周方向に回転させて外針１内の組織Ａをワイヤ状部材３で切断するようにしたので、組織Ａが硬い場合でも外針１内の組織Ａを他の組織から容易に切り離すことができ、外針１内に取り込んだ組織Ａを確実に採取することができる。
【００１８】
また、内針２の外周面に設けた切り欠き部２ａに弛ませたワイヤ状部材３を収容するようにしたので、内針２を後退させる際に外部のワイヤ状部材３が外針１内に引き込まれることがなく、内針２を常に円滑に後退させることができる。
【００１９】
尚、前記実施形態では、ワイヤ状部材３の両端側を引張るようにしたものを示したが、ワイヤ状部材３の一端を外針１に固定し、他端側のみを引張るようにしてもよい。
【００２０】
図６は前記実施形態の変形例を示すもので、内針２の切り欠き部２ａよりも先端側を断面略半円形に形成することにより、先端側に切り欠き部２ａ以外の他の部分よりも径方向に小さい小径部２ｂを設けたものである。これにより、内針２を外針１に対して後方に移動させる際、内針２の切り欠き部２ａ内に弛ませておいたワイヤ状部材３が小径部２ｂを通って外針１内に延出することから、ワイヤ状部材３を切り欠き部２ａの前端側に引掛かることなく円滑に延出させることができる。
【００２１】
図７は前記実施形態の他の変形例を示すもので、内針２の先端に円錐形の先鋭部２ｃが設けたものである。これにより、先鋭部２ｃを外針１の先端から突出させた状態で刺入することにより、組織Ａへの刺入を容易に行うことができる。
【００２２】
図８乃至図１０は本発明の第２の実施形態を示すもので、図８は生検針の側面断面図、図９はその要部分解斜視図、図１０は生検針による組織の採取工程を示す要部側面断面図である。尚、第１の実施形態と同等の構成部分には同一の符号を付して示す。
【００２３】
同図に示す生検針は、第１の実施形態とは異なる構成の外針７、内針８及びワイヤ状部材９を備え、他の部分は第１の実施形態と同等に構成されている。
【００２４】
外針７は両端を開口した管状の部材からなり、先端の周縁部で組織を切り裂くように形成されている。
【００２５】
内針８は外針７の内径よりも小さい外径を有するように形成され、外針７内に摺動自在に挿入されている。
【００２６】
ワイヤ状部材９は紐や金属ワイヤ等の細い線材からなり、その両端を外針７の先端に固定されることにより、外針７の先端に外針７の径方向に亘って張設されている。
【００２７】
本実施形態の生検針において、生体から組織を採取する場合は、まず、内針８の先端を外針７の先端側に位置させた状態で組織Ａ内に刺入した後、プランジャ５をロック部材６によってロックされるまで後退させることにより、図１０(a) に示すように内針８を外針７に対して後方に移動させる。その際、内針８の後退によって外針７の内部が陰圧になるので、図１０(b) に示すように組織Ａ内に更に刺入することにより、組織Ａの一部が外針７の周縁部によって切り裂かれながら陰圧によって外針７内に取り込まれる。また、外針７内に組織Ａの一部が取り込まれる際、組織Ａはワイヤ状部材９によって外針７の径方向に二分割される。この後、図１０(c) に示すように外針７及び内針８をシリンジ４と共に周方向に３６０°以上回転させることにより、外針７内の組織Ａがワイヤ状部材９によって切断され、ワイヤ状部材９と内針８の先端との間に位置する組織Ａが他の組織から切り離される。この後、抜針してプランジャ５のロックを解除し、プランジャ５を前進させることにより、外針７内の組織Ａが外部に押し出される。
【００２８】
このように、本実施形態の生検針によれば、外針７の先端にワイヤ状部材９を外針７の径方向に亘って張設し、外針７内に組織Ａの一部を取り込んだ後、ワイヤ状部材９を外針７と共に周方向に回転させて外針７内の組織Ａをワイヤ状部材９で切断するようにしたので、第１の実施形態と同様、組織Ａが硬い場合でも外針７内の組織Ａを他の組織から容易に切り離すことができる。この場合、外針７内に組織Ａの一部が取り込まれる際、組織Ａはワイヤ状部材９によって外針７の径方向に二分割されるが、第１の実施形態のようにワイヤ状部材を引張って緊張させる操作を必要としない分、採取作業を容易に行うことができる。
【図面の簡単な説明】
【００２９】
【図１】本発明の第１の実施形態を示す生検針の斜視図
【図２】生検針の側面断面図
【図３】生検針の要部分解斜視図
【図４】生検針の要部斜視図
【図５】生検針による組織の採取工程を示す要部側面断面図
【図６】第１の実施形態の変形例を示す生検針の要部分解斜視図
【図７】第１の実施形態の他の変形例を示す生検針の要部分解斜視図
【図８】本発明の第２の実施形態を示す生検針の側面断面図
【図９】生検針の要部分解斜視図
【図１０】生検針による組織の採取工程を示す要部側面断面図
【符号の説明】
【００３０】
１…外針、２…内針、２ａ…切り欠き部、２ｂ…小径部、２ｃ…先鋭部、３…ワイヤ状部材、４…シリンジ、５…プランジャ、７…外針、８…内針、９…ワイヤ状部材、Ａ…組織。
【図１】
2007054449.tif 000003
【図２】
2007054449.tif 000004
【図３】
2007054449.tif 000005
【図４】
2007054449.tif 000006
【図５】
2007054449.tif 000007
【図６】
2007054449.tif 000008
【図７】
2007054449.tif 000009
【図８】
2007054449.tif 000010
【図９】
2007054449.tif 000011
【図１０】
2007054449.tif 000012